(57)【要約】      （修正有）【課題】環境試験機用湿度発生器において、効率よく、高速に蒸気を発生、供給し、装置の小型化を図り、環境試験機に搭載する際のスペース的制約を軽減する。また、修理の際の持ち運びを便利にする。【解決手段】湿度発生器の水平断面形状を多角形あるいは円形にし、蒸気の上昇がスムーズに行われるようにした湿度発生器で、液面を突沸が生じない程度に発熱体に近づけ、前記蒸気発生部空間をなくすことで、装置の高さを低くし、装置の小型化を実現した。【選択図】図１
0003114839.tif 000002
【実用新案登録請求の範囲】
【請求項１】
急速に湿度発生及び調整が可能で、かつ貯水量を少なくし、発熱体容量を小さくして蒸気発生効率が良好な方式の湿度発生器で、容器の水平断面形状を多角形とし、下部の断面積を上部より大きくしたことを特徴とする耐候試験機、腐食試験機等環境試験機用の湿度発生器。
【請求項２】
容器の水平断面形状が円形であることを特徴とする請求項１に記載の湿度発生器。
【請求項３】
容器内の底部に発熱体を有し、該発熱体が水中に没する程度に水を張ることを特徴とする請求項１から２の何れかに記載の湿度発生器。
【請求項４】
容器の底部を断熱材で裏打ちした発熱体とし、少量の水を張ることを特徴とする請求項３に記載の湿度発生器。
【請求項５】
容器の底部を金属とし、これに電磁波を作用させて発熱させ、蒸気を発生させることを特徴とする請求項４に記載の湿度発生器。
【請求項６】
全体の構成が小型で可搬可能なことを特徴とする請求項１から５の何れかに記載の湿度発生器。
【考案の詳細な説明】
【技術分野】
【０００１】
耐候性試験機、腐食試験機等、環境試験機用湿度発生器に関する。
【背景技術】
【０００２】
従来、環境試験機に用いられる湿度発生器は、上部天井が平坦な上蓋と底部近傍に発熱体が設置された直方体の容器から成り、発熱体上部を覆うように液体、通常水、で満たし、加熱することにより液体を蒸発させるものである。（特許文献１参照）
【特許文献１】特開２００２―２１４１１９号公報
【０００３】
この形状の場合には、発生した蒸気は上蓋のコーナー近傍でスムーズに上方へ移動できずコーナー部に滞留するため、蒸気の発生効率が低い。
【０００４】
考案者は気体の上昇気流を利用して蒸気を効率良く環境試験機に送る目的で、従来の直方体形状の容器の上蓋を除去し、直方体上部に四角錐状の側壁を設けた湿度発生器を考案して出願（実願２００５−００４１２１）した。
【０００５】
本考案はさらに効率を高めたものである。                                      
【考案の開示】
【考案が解決しようとする課題】
【０００６】
従来の湿度発生器は天井が平坦な形状のため、発生した蒸気が容器内に滞留、結露するため、蒸気発生効率が落ち、環境試験機への送気がスムーズではなかった。このため所期の性能を得るために、容器を大型にするか、発熱体の容量を大きく、かつ寿命の長いものを装着しなければならないという問題があった。
【０００７】
また、先出願における蒸気を案内する側壁を設けた角錐状の湿度発生器の場合においても、当該側壁の高さと液面と蒸気案内壁までの高さ（以下、蒸気発生部空間と略記す）及び液体を貯留する部分の高さとの和が湿度発生器の高さとなり、かなり大きなものになった。
【０００８】
環境試験機の設置面積及び空間を極力小さくする環境試験機の使用者の要請を考慮した場合、スペース的な制約を受ける問題があった。また、湿度発生器の交換、引き取り修理の持ち運びに、不便なことがあった。
【０００９】
本考案はかかる問題を鑑みてなされたものであり、従って本考案の目的は、蒸気の発生効率を改善し、発生した蒸気の上昇気流のエネルギーを生かすことを十分に考慮した、流体的に最適な形状に工夫をこらし、さらに蒸気発生部空間を最小にすることによって、小型化を図った環境試験機の湿度発生器を提供することにある。
【００１０】
本考案者は上記の目的を達成するために鋭意研究を重ね、また、試行錯誤の結果、本考案を完成するに至った。
【課題を解決するための手段】
【００１１】
上記目的を達成するために、本考案の湿度発生器は、従来の形状とは異なり、前記の直方体上部に水平断面形状が多角形の蒸気案内壁を取り付けた湿度発生器の下の直方体部分を省略し、水平断面形状が多角形あるいは円形で下部の面積が上部の面積よりも小さいステンレス鋼あるいはチタンなどの耐熱・耐食性材料で構成された容器の底部に発熱体を配置し、発熱体直上で、液体の蒸発に最適な位置まで液体の貯留高さを水位調節器で制御しながら蒸気を発生させ、蒸気の上昇気流を妨げることのないように角錐あるいは円錐形状の蒸気案内壁を設けたことを特徴とするものである。蒸発分を補う給水ボックスは別に設置されている。
【００１２】
また本考案は容器の水平断面形状を多角形あるいは円形にし、前記の上昇気流の流れを有効に蒸気の移動に作用させることができるので、従来よりも小容量の発熱体を装着できる特徴をもつものである。
【００１３】
また、底部に配した発熱体は、当該容器の底部の壁を兼用することも可能であり、このことにより、加湿器をさらに小型化できる特徴を持つものである。
【００１４】
また、当該容器の底部が発熱体をかねることが可能であり、これによって、貯留する液体の量を、容器内に独立して発熱体を設置した場合より少なくすることが可能となるので、発熱体を小容量化できる特徴をもつものである。
【００１５】
また、本考案は前記蒸気発生部空間を省略し、液体の貯留高さを最小にするので少量の液体を加熱すればよく、このために従来よりも小容量の発熱体を装着できる特徴を持つものである。
【００１６】
また本考案は貯留液体の容量が少ないので、昇温、降温が迅速で、蒸気発生速度制御が従来のものに比べて高精度でできる特徴を有す。
【００１７】
また、底部から上部に至る容器の壁の傾斜角は６１〜８０度が最適であるのは、先出願（実願２００５−００４１２１）と同じである。
【考案の効果】
【００１８】
本考案の湿度発生器は、前述したとおり、従来の湿度発生器より高性能、かつ小型であるために、本装置を必要とする環境試験機等に装着する場合に、蒸気を効率よく供給するとともに、装着スペースが従来より少なくてすみ、また湿度発生器の交換及び引き取り修理等の持ち運びに便利で、省エネルギー化が図れる。
【考案を実施するための最良の形態】
【００１９】
本考案の湿度発生器の概要を図１に、環境試験機に取りつけたところを図２に示す。
【００２０】
別設の給水ボックスから給水管へ液体を供給し、発熱体が空炊きにならない程度に、水位調節器で水位を調節する。環境試験機本体に連動した湿度発生器の発熱体がONになると、液体が加熱され、発生した蒸気は、最適な勾配の角錐状あるいは円錐状側壁の内壁に沿って上昇し、頂部に設けた蒸気送気管から、環境試験機本体へ送気される。
【００２１】
先出願の湿度発生器（下部が直方体で、上部が角錐状）の大きさは、幅３０センチメートル×奥行１８センチメートル×高さ３３センチメートルであったが、本考案では、幅１６センチメートル×奥行１６センチメートル×高さ１５センチメートルとなり、更なる小型化を実現した。容器内に貯留する水量も５リットルから０．９５リットルとなり、必要な発熱体容量は４キロワットから２キロワットになった。水温約９５度までの所要時間は８分から２分４５秒になり、蒸気発生開始が早くなった。
【００２２】
以下に具体的なデータを表１に示す。
【００２３】
【表１】
0003114839.tif 000003
【図面の簡単な説明】
【００２４】
【図１】本考案の水平断面形状が四角形の小型の湿度発生器の構成図の一例である。
【図２】本考案の湿度発生器を環境試験機に取り付けた一例である。
【符号の説明】
【００２５】
１  給水口
２  水位調節器
３  水位調節センサー
４  給水ボックス
５  給水管
６  均圧管
７  蒸気送気管
８  容器
９  蒸気  
１０  液体（水）
１１  発熱体
１２  湿度発生器
１３  環境試験機
１４  上部開口部
【図１】
0003114839.tif 000004
【図２】
0003114839.tif 000005